(57)【特許請求の範囲】
【請求項１】
ツイストペア電線を保持する保持部と、該保持部をコネクタのハウジングに固定するハウジング固定部とを備え、
前記ハウジング固定部は、前記ツイストペア電線の撚り戻し部分を構成する２本の電線の端末に接続される１対のコンタクトを収容する１対の第１コンタクト収容部とは別の、前記ハウジングに設けられた第２コンタクト収容部に収容されて前記ハウジングに固定され、
前記保持部及び前記ハウジング固定部は、導電性金属板から一体で形成され、
前記第２コンタクト収容部は、１対の前記第１コンタクト収容部の両側に１対設けられ、前記ハウジング固定部は、１対の前記第２コンタクト収容部に収容されるように１対設けられていることを特徴とするツイストペア電線の接続部材。
【請求項２】
前記ハウジング固定部は、前記コネクタに嵌合する相手コネクタの相手コンタクトと電気的に接続可能な構成を有することを特徴とする請求項１に記載ツイストペア電線の接続部材。
【請求項３】
前記ツイストペア電線がグランド編組を有するシールド付きツイストペア電線であり、前記保持部が前記シールド付きツイストペア電線のグランド編組に接続されることを特徴とする請求項１又は２に記載のツイストペア電線の接続部材。
【請求項４】
ツイストペア電線と、該ツイストペア電線の撚り戻し部分を構成する２本の電線の端末に接続される１対のコンタクトと、該１対のコンタクトを収容する１対の第１コンタクト収容部の他に、第２コンタクト収容部を有するハウジングと、請求項１乃至３のうちいずれか一項に記載のツイストペア電線の接続部材とを備えることを特徴とするコネクタ。
【発明の詳細な説明】
【技術分野】
【０００１】
本発明は、ツイストペア電線の端末部をコネクタに接続するためのツイストペア電線の接続部材及びコネクタに関する。
【背景技術】
【０００２】
近年、自動車用伝送システムの高速ＬＡＮ化が進んできており、電気信号の良好な伝送性能を得るために、２本の電線を所定ピッチで撚り合わせてなるツイストペア電線が用いられている。このツイストペア電線をＬＡＮ用コネクタ等に接続するに際しては、ツイストペア電線の端末部の電線を撚り戻して、撚り戻された各電線の端末部にコンタクトを接続する作業を行う。
【０００３】
ところで、コンタクトを接続する際に撚り戻されたツイストペア電線の端末部では、撚り戻された部分の電線同士が離間した状態になるため、電線間の電気的結合（静電容量）が小さく、結果としてインピーダンスが高くなってしまう。つまり、この撚り戻された部分が伝送経路のインピーダンスと整合されなくなり、この不整合が大きすぎると、より高速の電気信号の伝送においては信号の反射等が起きるという問題があった。
【０００４】
この問題を解決するために、従来、例えば、特許文献１に示すツイストペア電線の端末処理構造が知られている。
特許文献１に示すツイストペア電線の端末処理構造は、コネクタハウジングの外側で一部撚り戻されたツイストペア電線の撚り戻された部分の電線２本を電線保持部材により近接させて保持する。これにより、この部分のインピーダンスの整合を図るようにしている。
【０００５】
また、前述の問題を解決するために、従来、例えば、特許文献２に示すツイストペア電線の端末接続構造が知られている。
特許文献２に示すツイストペア電線の端末接続構造は、ツイストペア電線に接続される信号用端子と、信号用端子を電磁的に遮蔽する外導体シェルと、信号用端子と外導体シェルとを絶縁状態で保持する誘電体とを備えている。そして、ツイストペア電線の端末部を撚り戻し、この撚り戻し部分を構成する２本の信号線の端末は信号用端子に接続されると共に、それら信号用端子は誘電体の収容室に収容される。また、信号用端子に接続された撚り戻し部分は、外導体シェルによって覆われるとともに、外導体シェルに設けられたバレルによって固定保持されるようになっている。そして、信号用端子、誘電体、及び外導体シェルからなる組立体がコネクタハウジングに収容される。
【先行技術文献】
【特許文献】
【０００６】
【特許文献１】特開２００４−７１４０４号公報
【特許文献２】特開２００４−６３３６０号公報
【発明の概要】
【発明が解決しようとする課題】
【０００７】
しかしながら、これら従来の特許文献１に示すツイストペア電線の端末処理構造及び特許文献２に示すツイストペア電線の端末接続構造にあっては、以下の問題点があった。
即ち、特許文献１に示すツイストペア電線の端末処理構造の場合、ツイストペア電線の撚り戻された部分の電線２本を保持する電線保持部材がコネクタハウジングに対して固定されていない。このため、電線保持部材がコネクタハウジングに対して動き、電線保持部材とコネクタハウジングとの間の距離が変化してしまうことがある。当該距離が変化すると、電線保持部材よりコネクタハウジング側のツイストペア電線の撚り戻された部分の長さが変化し、電線間の間隔も変化してしまうことがある。これにより、撚り戻された部分の静電容量が変化し、伝送経路のインピーダンスと整合しなくなってしまうことがある。
【０００８】
一方、特許文献２に示すツイストペア電線の端末接続構造の場合、信号用端子に接続された撚り戻し部分は、外導体シェルに設けられたバレルによって固定保持され、その外導体シェルが誘電体に固定される。そして、信号用端子、誘電体、及び外導体シェルからなる組立体がコネクタハウジングに収容される。このため、バレルが誘電体及びコネクタハウジングに対して動くことはなく、バレルと誘電体及びコネクタハウジングとの間の距離が変化してしまうことはない。従って、伝送経路のインピーダンスと整合しなくなるおそれは回避できる。
【０００９】
しかし、外導体シェルを誘電体に固定するために、外導体シェルを誘電体を覆うような形状に形成した上で、誘電体を覆う外導体シェルの部分に係止片を設け、誘電体にその係止片が形成される凹部を設けてある。そして、外導体シェルを固定した誘電体をコネクタハウジングに更に収容する。このため、外導体シェルを誘電体及びコネクタハウジングに固定する特殊な構造が必要となる。
【００１０】
従って、本発明は、これら従来の問題点を解決するためになされたものであり、その目的は、ツイストペア電線を保持する保持部をコネクタのハウジングに固定できるとともに、当該保持部をハウジングに固定するハウジング固定部を、特殊な構造を必要とせずにハウジングに固定できるツイストペア電線の接続部材及びコネクタを提供することにある。
【課題を解決するための手段】
【００１１】
上記課題を達成するために、本発明の一態様に係るツイストペア電線の接続部材は、ツイストペア電線を保持する保持部と、該保持部をコネクタのハウジングに固定するハウジング固定部とを備え、前記ハウジング固定部は、前記ツイストペア電線の撚り戻し部分を構成する２本の電線の端末に接続される１対のコンタクトを収容する１対の第１コンタクト収容部とは別の、前記ハウジングに設けられた第２コンタクト収容部に収容されて前記ハウジングに固定され、 前記保持部及び前記ハウジング固定部は、導電性金属板から一体で形成され、 前記第２コンタクト収容部は、１対の前記第１コンタクト収容部の両側に１対設けられ、前記ハウジング固定部は、１対の前記第２コンタクト収容部に収容されるように１対設けられていることを要旨とする。
【００１２】
また、本発明の別の態様に係るコネクタは、ツイストペア電線と、該ツイストペア電線の撚り戻し部分を構成する２本の電線の端末に接続される１対のコンタクトと、該１対のコンタクトを収容する１対の第１コンタクト収容部の他に、第２コンタクト収容部を有するハウジングと、前述のツイストペア電線の接続部材とを備えることを要旨とする。
【発明の効果】
【００１３】
本発明に係るツイストペア電線の接続部材及びコネクタによれば、ツイストペア電線を保持する保持部と、保持部をコネクタのハウジングに固定するハウジング固定部とを備えているので、ツイストペア電線を保持する保持部をコネクタのハウジングに固定できる。このため、保持部とコネクタのハウジングとの間の距離が変化してしまうことはなく、保持部よりハウジング側のツイストペア電線の撚り戻された部分の長さ及び電線間の間隔が変化しない。これにより、伝送経路のインピーダンスと整合しなくなってしまうおそれを回避することができる。
【００１４】
また、本発明に係るツイストペア電線の接続部材及びコネクタにおいて、ハウジング固定部は、ツイストペア電線の撚り戻し部分を構成する２本の電線の端末に接続される１対のコンタクトを収容する１対の第１コンタクト収容部とは別の、ハウジングに設けられた第２コンタクト収容部に収容されてハウジングに固定される。このため、当該保持部をハウジングに固定するハウジング固定部を、特殊な構造を必要とせずにハウジングに固定できる。つまり、ツイストペア電線の端末に接続される１対のコンタクトを収容する１対の第１コンタクト収容部の他に第２コンタクト収容部を有する多極コネクタにおいて、既にある第２コンタクト収容部を用いて、ハウジング固定部を固定することができる。
【図面の簡単な説明】
【００１５】
【図１】本発明の一実施形態に係るツイストペア電線の接続部材を備えたコネクタの前方斜め上方から見た斜視図である。
【図２】図１のコネクタの後方斜め上方から見た斜視図である。
【図３】図１に示すツイストペア電線の接続部材を備えたコネクタの正面図である。
【図４】図１に示すツイストペア電線の接続部材を備えたコネクタの背面図である。
【図５】図３の５−５線に沿う断面図である。
【図６】図４の６−６線に沿う断面図である。
【図７】ツイストペア電線の撚り戻し部分を構成する２本の電線の端末に１対のコンタクトを接続した状態の斜視図である。
【図８】本発明の一実施形態に係るツイストペア電線の接続部材を後方斜め上方から見た斜視図である。
【図９】図８の接続部材を前方斜め下方から見た斜視図である。
【図１０】ツイストペア電線の撚り戻し部分を構成する２本の電線の端末に１対のコンタクトを接続した後、図８及び図９に示すツイストペア電線の接続部材をツイストペア電線の端末部に固定したツイストペア電線組立体の前方斜め上方から見た斜視図である。
【図１１】図１０に示すツイストペア電線組立体を図１に示すコネクタのハウジングに固定する前の状態の斜視図である。
【図１２】ツイストペア電線の撚り戻し部分を構成する２本の電線の端末に１対のコンタクトを接続した後、変形例に係るツイストペア電線の接続部材をツイストペア電線の端末部に固定したツイストペア電線組立体の前方斜め上方から見た斜視図である。
【発明を実施するための形態】
【００１６】
以下、本発明の実施形態を図面を参照して説明する。
図１乃至図６には、本発明の実施形態に係るツイストペア電線の接続部材を備えたコネクタが示されている。
図１乃至図６に示すコネクタ１は、例えば、自動車用高速伝送システムに用いられるものであり、ツイストペア電線Ｗを備えている。ツイストペア電線Ｗは、図６及び図７に示すように、２本の電線Ｗ１、Ｗ２を撚り合わせたものであり、それら２本の電線Ｗ１、Ｗ２の外側は被覆ＷＳで覆われている。そして、ツイストペア電線Ｗは、２本の電線Ｗ１、Ｗ２の端末に１対のコンタクト１０（図７参照）を接続するために、端末部において撚り戻され、これにより撚り戻し部分Ｙが形成される。
【００１７】
また、コネクタ１は、ツイストペア電線Ｗの撚り戻し部分Ｙを構成する２本の電線Ｗ１、Ｗ２の端末に接続される１対のコンタクト１０と、１対のコンタクト１０を収容するハウジング２０と、ツイストペア電線Ｗの接続部材３０とを備えている。
ここで、各コンタクト１０は、図６に示すように、ハウジング２０に形成された後述の第１コンタクト収容部２１に収容され、リセプタクル部１１及び電線接続部１２を備えている。各コンタクト１０は、導電性金属部材を打ち抜き及び曲げ加工によって形成される。リセプタクル部１１は、図示しない相手コネクタに設けられた相手コンタクトを受容可能な略箱型に形成されている。リセプタクル部１１の上面には、図６に示すように、第１コンタクト収容部２１に形成されたハウジングランス２３が係止される係止用開口１１ａが形成されている。また、リセプタクル部１１の後端（図６における右端）には、後述するダブルロック部材２５が係止される係止部１１ｂが設けられている。また、リセプタクル部１１内には、相手コンタクトに接触する弾性接触片１１ｃが設けられている。そして、電線接続部１２は、リセプタクル部１１の後端から後方に延び、電線Ｗ１又はＷ２の端末に圧着されるバレルで構成される。
【００１８】
次に、ハウジング２０は、図１乃至図６に示すように、左右方向（図３における左右方向）、上下方向（図３における上下方向）及び前後方向（図５における左右方向）に延びる略直方体形状を有する。ハウジング２０は、絶縁性の合成樹脂を成形することによって形成される。ハウジング２０は、１対のコンタクト１０を収容する１対の第１コンタクト収容部２１と、これら１対の第１コンタクト収容部２１の左右両外側に設けられた１対の第２コンタクト収容部２２とを有している。ハウジング２０は、これら第１コンタクト収容部２１及び第２コンタクト収容部２２以外にも、複数のコンタクト収容部を備えている。各第１コンタクト収容部２１は、図３、図４及び図６に示すように、コンタクト１０を収容可能なようにハウジング２０の前後方向に貫通している。また、各第２コンタクト収容部２２は、図３、図４及び図５に示すように、接続部材３０の後述するハウジング固定部３２を収容可能なようにハウジング２０の前後方向に貫通している。各第１コンタクト収容部２１には、コンタクト１０の係止用開口１１ａに係止してコンタクト１０の後方への抜け止めを行うハウジングランス２３が設けられている。コンタクト１０の前方への抜け止めは、各第１コンタクト収容部２１の前端に設けられた壁部にリセプタクル部１１の前端が当接することにより達成される。また、各第２コンタクト収容部２２には、ハウジング固定部３２の後述する係止用開口３５ａに係止してハウジング固定部３２の後方への抜け止めを行うハウジングランス２４が設けられている。ハウジング固定部３２の前方への抜け止めは、各第２コンタクト収容部２２の前端に設けられた壁部にハウジング固定部３２の後述するリセプタクル部３５の前端が当接することにより達成される。
【００１９】
なお、ハウジング２０の上面には、図１に示すように、コネクタ１が相手コネクタと嵌合した際に、相手コネクタをロックするロック突起２７を有するロックアーム２６が設けられている。
また、ツイストペア電線Ｗの接続部材３０は、図５及び図８乃至図１０に示すように、ツイストペア電線Ｗを保持する保持部３１と、保持部３１をコネクタ１のハウジング２０に固定する１対のハウジング固定部３２とを備えている。接続部材３０は、導電性金属板を打ち抜き及び曲げ加工することによって一体に形成される。
【００２０】
ここで、保持部３１は、オープンバレルであり、図６及び図１０に示すように、ツイストペア電線Ｗの端末部の撚り戻し部分Ｙを被覆ＷＳの外側から保持する。これにより、ツイストペア電線Ｗを構成する２本の電線Ｗ１、Ｗ２の撚り戻し部分Ｙにおける間隔が一定に保持される。保持部３１は、ツイストペア電線Ｗの被覆ＷＳを外側から圧着する。
また、保持部３１の前端には、図８及び図９に示すように、左右方向に延びる連結板部３３が設けられ、１対のハウジング固定部３２は、連結板部３３の左右両端部から前方に延びている。
【００２１】
各ハウジング固定部３２は、図５に示すように、ハウジング２０に設けられた第２コンタクト収容部２２に収容されてハウジング２０に固定されるものである。各ハウジング固定部３２は、連結板部３３の左右端部から前方に延びる前方延出部３４と、前方延出部３４の前端から前方に延びるリセプタクル部３５とを備えている。各前方延出部３４は、下側が開いたチャネル形状を有する。また、各リセプタクル部３５は、各コンタクト１０のリセプタクル部１１とほぼ同様の形状を有し、図示しない相手コネクタに設けられた相手コンタクトを受容可能な略箱型に形成されている。リセプタクル部３５の上面には、図５に示すように、第２コンタクト収容部２２に形成されたハウジングランス２４が係止される係止用開口３５ａが形成されている。また、リセプタクル部３５の後端には、後述するダブルロック部材２５が係止される係止部３５ｂが設けられている。また、リセプタクル部３５内には、相手コンタクトに接触可能な弾性接触片３５ｃが設けられている。このため、各ハウジング固定部３２は、コネクタ１に嵌合する相手コネクタの相手コンタクトと電気的に接続可能な構成を有する。
【００２２】
次に、このように構成されるコネクタ１の組立方法、すなわち、ツイストペア電線Ｗの接続方法について、図７、図１０、図１１、図５及び図６を参照して説明する。
先ず、図７に示すように、ツイストペア電線Ｗの端末部を撚り戻し、撚り戻し部分Ｙを構成する２本の電線Ｗ１、Ｗ２の端末に１対のコンタクト１０を接続する。この際に、一方のコンタクト１０の電線接続部１２を一方の電線Ｗ１の端末に圧着し、他方のコンタクト１０の電線接続部１２を他方の電線Ｗ２の端末に圧着する。
【００２３】
次いで、図１０に示すように、接続部材３０の保持部３１によって、ツイストペア電線Ｗの端末部の撚り戻し部分Ｙを被覆ＷＳの外側から保持する。この際に、２本の電線Ｗ１、Ｗ２の端末に接続された１対のコンタクト１０を保持部３１の内側を挿通し、ツイストペア電線Ｗの被覆ＷＳの端末部が保持部３１の内側に位置したところで保持部３１を被覆ＷＳの外側から圧着する。これにより、ツイストペア電線組立体Ａが完成する。
【００２４】
その後、図１１、図５及び図６に示すように、ツイストペア電線組立体Ａを構成する１対のコンタクト１０をハウジング２０の第１コンタクト収容部２１に収容して固定する。同様に、接続部材３０の１対のハウジング固定部３２をハウジング２０の第２コンタクト収容部２２に収容して固定する。接続部材３０の１対のハウジング固定部３２をハウジング２０の第２コンタクト収容部２２に収容して固定することにより、保持部３１がハウジング２０に対して固定される。
【００２５】
ここで、１対のコンタクト１０をハウジング２０の第１コンタクト収容部２１に収容して固定する際に、各コンタクト１０を、リセプタクル部１１を先頭にしてハウジング２０の後方から第１コンタクト収容部２１内に挿入する。これにより、図６に示すように、第１コンタクト収容部２１に設けられたハウジングランス２３がコンタクト１０の係止用開口１１ａに係止し、コンタクト１０の後方への抜け止めがなされる。また、コンタクト１０の前方への抜け止めは、各第１コンタクト収容部２１の前端に設けられた壁部にリセプタクル部１１の前端が当接することにより達成される。
【００２６】
また、１対のハウジング固定部３２を第２コンタクト収容部２２に収容して固定するに際しては、各ハウジング固定部３２を、接続部材３０のリセプタクル部３５を先頭にしてハウジング２０の後方から第２コンタクト収容部２２内に挿入する。これにより、図５に示すように、第２コンタクト収容部２２に設けられたハウジングランス２４がハウジング固定部３２の係止用開口３５ａに係止し、ハウジング固定部３２の後方への抜け止めがなされる。また、ハウジング固定部３２の前方への抜け止めは、各第２コンタクト収容部２２の前端に設けられた壁部にリセプタクル部３５の前端が当接することにより達成される。
【００２７】
最後に、ダブルロック部材２５をハウジング２０の下方からハウジング２０内に挿入し、各コンタクト１０の係止部１１ｂ及び各ハウジング固定部３２の係止部３５ｂをダブルロック部材２５により二次的に係止する。これにより、各コンタクト１０及び各ハウジング固定部３２の後方への抜け止めがより強固になる。なお、ダブルロック部材２５は、ハウジング２０に予め仮係止してもよい。
【００２８】
以上により、コネクタ１の組立、すなわち、ツイストペア電線Ｗの接続が完了する。
このように、本実施形態に係るツイストペア電線Ｗの接続部材３０及びコネクタ１においては、ツイストペア電線Ｗを保持する保持部３１と、保持部３１をコネクタ１のハウジング２０に固定するハウジング固定部３２とを備えている。このため、ツイストペア電線Ｗを保持する保持部３１をコネクタ１のハウジング２０に固定できる。これにより、保持部３１とコネクタ１のハウジング２０との間の距離が変化してしまうことはなく、保持部３１よりハウジング２０側のツイストペア電線Ｗの撚り戻された部分Ｙの長さ及び電線間の間隔が変化しない。これにより、伝送経路のインピーダンスと整合しなくなってしまうおそれを回避することができる。
【００２９】
また、本実施形態に係るツイストペア電線Ｗの接続部材３０及びコネクタ１において、ハウジング固定部３２は、ツイストペア電線Ｗの撚り戻し部分Ｙを構成する２本の電線Ｗ１、Ｗ２の端末に接続される１対のコンタクト１０を収容する１対の第１コンタクト収容部２１とは別の、ハウジング２０に設けられた第２コンタクト収容部２２に収容されてハウジング２０に固定される。このため、当該保持部３１をハウジング２０に固定するハウジング固定部３２を、特殊な構造を必要とせずにハウジング２０に固定できる。つまり、１対の第１コンタクト収容部２１の他に第２コンタクト収容部２２を有する多極コネクタにおいて、既にある第２コンタクト収容部２２を用いて、ハウジング固定部３２を固定することができる。
【００３０】
また、本実施形態に係るツイストペア電線Ｗの接続部材３０及びコネクタ１において、各ハウジング固定部３２は、コネクタ１に嵌合する相手コネクタの相手コンタクトと電気的に接続可能な構成を有する。このため、接地されている相手コンタクトが各ハウジング固定部３２と電気的に接続される場合には、各ハウジング固定部３２を有する接続部材３０を電気的に接地することができる。これにより、ツイストペア電線Ｗの信号特性（主に耐ノイズ性）を向上させることができるとともに、ツイストペア電線Ｗからの不要輻射を低減することができる。
【００３１】
更に、第２コンタクト収容部２２は、１対の第１コンタクト収容部２１の両側に１対設けられ、ハウジング固定部３２は、１対の第２コンタクト収容部２２に収容されるように１対設けられている。このため、１対のハウジング固定部３２を第１コンタクト収容部２１の配置方向に沿って第１コンタクト収容部２１の両側に均等に配置できる。これにより、保持部３１のハウジング２０に対する固定を安定して行うことができるとともに、保持部３１のハウジング２０に対する固定強度を１つのハウジング固定部３２で固定するよりも向上させることができる。また、１対のハウジング固定部３２を１対のコンタクト１０に対して両側に配置し保持部３１を介して囲むようになり、接続部材３０による電気的特性（主に耐ノイズ性、不要輻射の低減性）を向上させることができる。
【００３２】
また、接続部材３０を導電性金属部材を打ち抜き及び曲げ加工することによって一体に形成し、ハウジング固定部３２及び保持部３１を一体で形成している。このため、接続部材３０を簡単に製造することができる。
なお、図１２に示すように、接続部材３０を一体で構成する必要は必ずしもない。図１２は、変形例に係る接続部材３０をツイストペア電線Ｗの端末部に固定したツイストペア電線組立体Ａを前方斜め上方から見た斜視図である。図１２においては、図１０に示す部材と同一の部材については同一の符号を付し、その説明を省略することがある。
【００３３】
図１２に示す接続部材３０において、各ハウジング固定部３２は、連結板部３３の左右端部から前方に延びる前方延出部３６と、前方延出部３６に圧着されて前方延出部３６の前端から前方に延びるリセプタクル部３７とを備えている。リセプタクル部３７を前方延出部３６と別体で形成し、そのリセプタクル部３７を前方延出部３６に圧着する点で図１乃至図１１に示す接続部材３０のハウジング固定部３２と異なっている。
【００３４】
即ち、各リセプタクル部３７の後端には、この後端から後方に延びる圧着部３８が設けられている。圧着部３８は、バレルで形成され、前方延出部３６の前端に圧着される。
なお、各リセプタクル部３７は、リセプタクル部３５と同様に、各コンタクト１０のリセプタクル部１１とほぼ同様の形状を有し、図示しない相手コネクタに設けられた相手コンタクトを受容可能な略箱型に形成されている。リセプタクル部３７の上面には、第２コンタクト収容部２２に形成されたハウジングランス２４が係止される係止用開口３７ａが形成されている。また、リセプタクル部３７の後端には、ダブルロック部材２５が係止される係止部３７ｂが設けられている。また、リセプタクル部３７内には、相手コンタクトに接触可能な弾性接触片３７ｃが設けられている。
【００３５】
以上、本発明の実施形態について説明してきたが、本発明はこれに限定されずに種々の変更、改良を行うことができる。
例えば、保持部３１は、ツイストペア電線Ｗを保持すればよく、ツイストペア電線Ｗの端末部の撚り戻し部分Ｙを被覆ＷＳの外側から保持する場合に限らず、例えば、ハウジング２０から離れた撚り部を被覆ＷＳの外側からあるいは直接保持するようにしてもよい。
【００３６】
また、ツイストペア電線Ｗは、グランド編組（図示せず）を有するシールド付きツイストペア電線であってもよく、保持部３１がシールド付きツイストペア電線のグランド編組に接続されるようにしてもよい。この場合、グランド編組をコネクタ１のグランドに電気的に接地することができ、電位を安定させることが可能である。このため、シールド付きツイストペア電線の信号特性（主に耐ノイズ性）を向上させることができるとともに、ツイストペア電線からの不要輻射を低減することができる。
【００３７】
更に、接続部材３０の一部が非導電性部材で構成されていてもよい。
また、第２コンタクト収容部２２が、１対の第１コンタクト収容部２１の上側及び下側のいずれか一方又は双方や斜めの位置に設けられていてもよい。また、第２コンタクト収容部２２は、１つあるいは３つ以上であってもよい。
また、第２コンタクト収容部２２が１対の１対の第１コンタクト収容部２１の上側及び下側のいずれか一方又は双方に設けられる場合、ハウジング固定部３２のハウジング２０から露出する部分がツイストペア電線Ｗの撚り戻し部分を上側、下側あるいは側方から囲むよう構成されていてもよい。
【００３８】
また、ハウジング固定部３２は、保持部３１をハウジング２０に固定できればよく、コネクタ１に嵌合する相手コネクタの相手コンタクトと電気的に接続可能な構成を有する必要は必ずしもない。
また、ハウジング固定部３２は、コンタクト１０のリセプタクル部１１に合わせたリセプタクル部３５を有しているが、コンタクト１０の相手コンタクトに接触する部分がタブ形状の場合には、相手コンタクトに接触する部分はタブ形状にしてもよい。
【符号の説明】
【００３９】
１  コネクタ
１０  コンタクト
２０  ハウジング
２１  第１コンタクト収容部
２２  第２コンタクト収容部
３０  ツイストペア電線の接続部材
３１  保持部
３２  ハウジング固定部
Ｗ  ツイストペア電線
Ｗ１，Ｗ２  電線
【図１】
0006518143.tif 000002
【図２】
0006518143.tif 000003
【図３】
0006518143.tif 000004
【図４】
0006518143.tif 000005
【図５】
0006518143.tif 000006
【図６】
0006518143.tif 000007
【図７】
0006518143.tif 000008
【図８】
0006518143.tif 000009
【図９】
0006518143.tif 000010
【図１０】
0006518143.tif 000011
【図１１】
0006518143.tif 000012
【図１２】
0006518143.tif 000013